(57)【要約】【課題】  ＣＤ−ＲやＤＶＤ、カード等の厚さが厚く、剛性の高い紙被記録媒体もに記録可能な記録装置で、特に自動両面印刷機構を内蔵、あるいはオプションで装着可能な記録装置の小型化を目的とする。【解決手段】  ＣＤ−ＲやＤＶＤ、カード等の被記録媒体をトレイに搭載した状態で画像情報に応じて記録を行なう記録手段と、トレイを搬送するための駆動回転する搬送ローラと、トレイを搬送ローラに対して付勢し従動回転する装置幅方向に複数個配置されたピンチローラとを有し、トレイの搬送方向端部には1つ以上の切り欠きが設けられ、この切り欠きの底辺は被記録媒体が記録手段によって記録を施されている間に、搬送ローラ対を通過する位置に形成されている記録装置において、トレイの搬送領域に掛かるピンチローラは全て、少なくとも幅方向においてその一部がトレイの切り欠かれていない領域を付勢するように、ピンチローラおよびトレイの切り欠きを配置した。【選択図】  図１０
2007119188.tif 000002
【特許請求の範囲】
【請求項１】
被記録媒体をトレイに搭載した状態で画像情報に応じて記録を行なう記録手段と、前記トレイを搬送するための駆動回転する搬送ローラと、前記トレイを搬送ローラに対して付勢し従動回転する装置幅方向に複数個配置されたピンチローラとを有し、前記トレイの搬送方向端部には1つ以上の切り欠きが設けられ、この切り欠きの底辺は被記録媒体が記録手段によって記録を施されている間に、前記搬送ローラ対を通過する位置に形成されている記録装置において、前記トレイの搬送領域に掛かるピンチローラは全て、少なくとも幅方向においてその一部がトレイの切り欠かれていない領域を付勢するように、ピンチローラおよびトレイの切り欠きを配置したことを特徴とする記録装置。
【請求項２】
被記録媒体をトレイに搭載した状態で画像情報に応じて記録を行なう記録手段と、前記トレイを搬送するための駆動回転する搬送ローラと、前記トレイを搬送ローラに対して付勢し従動回転する装置幅方向に複数個配置されたピンチローラとを有し、前記トレイの搬送方向端部には1つ以上の切り欠きが設けられ、この切り欠きの底辺は被記録媒体が記録手段によって記録を施されている間に、前記搬送ローラ対を通過する位置に形成されている記録装置において、前記トレイの搬送領域に掛かるピンチローラのうち少なくとも1個は、幅方向においてトレイの切り欠かれている領域と、切り欠かれていない領域の両方を付勢するように、ピンチローラおよびトレイの切り欠きを配置したことを特徴とする記録装置。
【請求項３】
前記トレイの搬送方向に位置する一辺は、被記録媒体が記録手段によって記録を施されている間は、前記搬送ローラ対によって把持されるような位置に構成されていることを特徴とする請求項１または２に記載の記録装置。
【請求項４】
前記トレイに設けられた切り欠きの底辺の少なくとも一部は、搬送方向に対して斜めに構成されていることを特徴とする請求項１から3に記載の記録装置。
【請求項５】
前記トレイに設けられた切り欠きの底辺は、少なくとも前記ピンチローラに対抗する面からトレイが薄くなる方向にテーパが施されていることを特徴とする請求項１から4に記載の記録装置。
【請求項６】
前記トレイは搬送手段により、一旦排出方向から装置内部の記録位置まで搬入された後、記録手段によって記録が施され、記録終了後に排出位置まで搬送される請求項１または5に記載の記録装置。
【発明の詳細な説明】
【技術分野】
【０００１】
本発明は、プリンタ等の記録装置に関し、ＣＤ−ＲやＤＶＤやカード等の厚みが厚く曲げ剛性の高い被記録媒体をトレイに搭載した状態で記録を行なう記録装置に関する。
【背景技術】
【０００２】
インクジェット記録装置等の記録装置において、ＣＤ−ＲやＤＶＤやカード等の厚みが厚く、曲げ剛性の高い被記録媒体を搬送用のトレイに搭載した状態で記録を行うための構成として、いくつかの方式のものが実施あるいは提案されている。それらは、通常の記録装置に略ストレートな搬送トレイ通過パスを設け、シート状の剛性の低い被記録媒体を通紙するのと同じ紙送りローラを使用して、被記録媒体の搬送を行うものである。
【０００３】
それらの方式の中で、特開２００４−７４６６７に開示されている発明の如く、シート状の被記録媒体を紙送りローラまで給紙するための給送部の一部がトレイ通過パスに対して垂直方向で重なり合うが、装置幅方向（搬送方向に対して直交する方向）で重複しないように構成し、トレイの通過する範囲においてのみストレートパスを形成しているものがある。
【０００４】
また、インクジェット記録装置の背面に自動両面ユニットを装着できる装置において、自動両面ユニット内の複数の搬送ローラを、ストレートパスの上下に配置し、シート状の被記録媒体の自動両面印刷を可能とするとともに、トレイ搬送をも可能にしている装置が製品化されている。
【特許文献１】特開２００４−７４６６７号公報（第２６頁、図１８）
【発明の開示】
【発明が解決しようとする課題】
【０００５】
ところが、上記従来例のようにストレートパスを形成する上で、阻害する構成要素をストレートパスの上下方向に回避して構成したり、トレイの通過範囲を装置幅方向で回避した位置に構成した場合、装置の小型化が難しく、特に昨今注目されている自動両面印刷機構を構成する上でのひとつのネックとなっていた。
【０００６】
したがって本発明は上記のような技術課題を解決しようとするものであり、目的は特に自動両面印刷機構を内蔵、あるいはオプションで装着可能な記録装置の小型化である。
【課題を解決するための手段】
【０００７】
本発明（請求項１）は上記目的を達成するため、被記録媒体をトレイに搭載した状態で画像情報に応じて記録を行なう記録手段と、前記トレイを搬送するための駆動回転する搬送ローラと、前記トレイを搬送ローラに対して付勢し従動回転する装置幅方向に複数個配置されたピンチローラとを有し、前記トレイの搬送方向端部には1つ以上の切り欠きが設けられ、この切り欠きの底辺は被記録媒体が記録手段によって記録を施されている間に、前記搬送ローラ対を通過する位置に形成されている記録装置において、前記トレイの搬送領域に掛かるピンチローラは全て、少なくとも幅方向においてその一部がトレイの切り欠かれていない領域を付勢するように、ピンチローラおよびトレイの切り欠きを配置したことを特徴とする。あるいは、前記トレイの搬送領域に掛かるピンチローラのうち少なくとも1個は、幅方向においてトレイの切り欠かれている領域と、切り欠かれていない領域の両方を付勢するように、ピンチローラおよびトレイの切り欠きを配置したことを特徴とする（請求項２）。
【発明の効果】
【０００８】
本発明に係わる記録装置によれば、曲げ剛性の高い被記録媒体を搭載するトレイを搬送するためのストレートパス上に構成物（例えば、自動両面機構部を構成する両面搬送ローラを配置する場合においても、その構成物との干渉を回避するように、トレイに切り欠きを設け、かつこの切り欠きに対してピンチローラが落ち込むことが無いように、ストレートパス上の構成物および、ピンチローラを配置することにより、曲げ剛性の高い記録装置への印刷品位を損なうことなく、記録装置本体の小型化を可能とする。
【発明を実施するための最良の形態】
【０００９】
以下、図面を参照して本発明の実施の形態を具体的に説明する。なお、各図面を通して同一符号は同一又は対応部分を示すものである。
【００１０】
図１は本発明を適用した記録装置の一実施例の全体構成を示す模式的斜視図であり、図２は図１中の矢印Ａ方向から見て記録装置の全体構成を示す模式的側断面図である。なお、図１及び図２は、記録装置がインクを吐出して被記録媒体に記録を行うインクジェット記録装置である場合を示す。また、被記録媒体としては、紙、プラスチックシート、布など、種々の材質のものを使用することができる。そしてさらに専用の搬送トレイを使用することで、ＣＤ−ＲやＤＶＤやカード等の厚みが厚く曲げ剛性の高い被記録媒体等にも記録できる装置である。
【００１１】
図１及び図２において、１はインクジェット記録装置、２は用紙反転部（自動両面）、１０はインクジェット記録装置１の構造を支えるシャーシ、１１はインクを吐出して記録を行う記録手段としての記録ヘッド、１２は記録ヘッド１１へ供給するインクを蓄えるインクタンク、１３は記録ヘッド１１及びインクタンク１２を保持して走査（主走査）するためのキャリッジ、１４はキャリッジ１３を案内支持するガイドシャフト、１５はガイドシャフト１４と平行にキャリッジ１３を案内支持するガイドレール、１６はキャリッジ１３を駆動するためのタイミングベルト、１７はプーリを介してキャリッジベルト１６を駆動するキャリッジモータ、１８はキャリッジ１３の位置を検出するためのコードストリップ、２０はキャリッジモータ１７のプーリと対向してキャリッジベルト１６を張架するアイドラプーリである。
【００１２】
図１及び図２において、２１は被記録媒体（記録用紙）４を紙送り（搬送）するための紙送りローラ（搬送ローラ）、２２は紙送りローラ２１に押圧されて従動するピンチローラ、２３はピンチローラ２２を回転可能に保持するピンチローラホルダ、２４はピンチローラ２２を紙送りローラ２１に圧接するピンチローラばね、２５は紙送りローラ２１に固定された紙送りローラプーリ、２６は紙送りローラ２１を駆動するためのＬＦモータ（ラインフィードモータ）、２７は紙送りローラ２１の回転角度を検出するためのコードホイール、２９は記録ヘッド１１に対向して記録用紙４を支えるプラテンである。
【００１３】
３０は紙送りローラ２１と協働して記録用紙４を搬送するための第１排紙ローラ、３１は第１排紙ローラ３０の下流側に設けられた第２排紙ローラ、３２は第１排紙ローラ３０に対向して被記録媒体を保持する回転体としての第１拍車列、３３は第２排紙ローラ３１と対向して被記録媒体を保持する回転体としての第２拍車列、３４は第１拍車列３２と第２拍車列３３を回転可能に保持する拍車ベース、３６は記録ヘッド１１の目詰まり（吐出口やノズルの目詰まり）を防止してインク吐出性能を維持回復したり、インクタンク１２を交換する時に記録ヘッドのインク流路にインクを行き渡らせたりする際に作動させるメインテナンスユニット、３７は被記録媒体を積載し記録動作時に１枚ずつ記録部へ供給する自動給紙部としてのＡＳＦ（Automatic Sheet Feeder) である。
【００１４】
図１及び図２において、３８はＡＳＦ３７の土台となるＡＳＦベース、３９は積載された被記録媒体（被記録用紙）に当接し該被記録媒体を送り出すための給紙ローラ、４０は複数枚の記録用紙が同時に搬送された時に１枚ずつに分離する分離ローラ、４１は記録用紙を積載し給紙ローラ３９へ向けて付勢するための圧板、４２は圧板４１上に設けられ記録用紙の幅方向の任意の位置で固定可能なサイドガイド、４４はＡＳＦ３７からの被記録媒体通紙方向を１方向に規制するＡＳＦフラップである。
【００１５】
５０は不図示の駆動手段と契合するリフト入力ギア、５１はリフト入力ギア５０からの動力を減速しつつ伝達するリフト減速ギア列、５２はリフトカム軸に直結したリフトカムギア、５５はガイドシャフト１４を片寄せに付勢するためのガイドシャフトばね、５６はガイドシャフトギア５３のカムが摺動するガイド斜面、５８はピンチローラホルダ２３等をリフトさせるリフトカム軸、７０は被記録媒体の先端を紙送りローラ２１とピンチローラ２２のニップ部へガイドするための通紙ガイド、７２はインクジェット記録装置１の全体を支持するベースである。
【００１６】
以上のような構成において、記録が開始されると、先ず給紙動作が行われる。ＡＳＦ３７の圧板４１上に複数枚積載された被記録媒体（被記録用紙）から記録動作ごとに１枚ずつの記録用紙を引き出して被記録媒体搬送部（用紙搬送部）に送る自動給紙部で構成されている。給紙動作開始で不図示のＡＳＦモータからギア列を経て圧板４１を保持しているカムを回転させる。ＡＳＦモータの回転によってカムが外れると、圧板４１は不図示の圧板ばねの作用により給紙ローラ３９に向けて付勢される。同時に、給紙ローラ３９が被記録媒体（用紙）を搬送する方向に回転するため、積載された被記録媒体の一番上の一枚の搬送が開始される。その際、給紙ローラ３９と記録用紙４との間の摩擦力、並びに記録用紙同士の摩擦力の条件により、複数枚の記録用紙が同時に送り出されてしまうことがある。
【００１７】
その場合には、給紙ローラ３９に圧接されかつ記録用紙搬送方向と逆方向に所定の戻り回転トルクを有する分離ローラ４０が作用し、この分離ローラ４０は最も給紙ローラ３９側にある記録用紙以外の記録用紙を元の圧板上へ押し戻す働きをする。また、ＡＳＦ給紙動作終了時には、カムの動作により分離ローラ４０は給紙ローラ３９との圧接状態から解除され、所定の距離離間される。以上のような動作により、記録用紙を１枚だけ用紙搬送部へ搬送する。
【００１８】
なお、ＡＳＦ３７から１枚の記録用紙が搬送されていく時、記録用紙の先端は、不図示のＡＳＦフラップばねで通紙経路を妨げる方向に付勢されているＡＳＦフラップ４４に当接するが、ＡＳＦフラップ４４を押し退けて通過する。記録用紙の記録動作が終了し、記録用紙後端がＡＳＦフラップ４４を通過すると、ＡＳＦフラップ４４は元の付勢状態に戻って通紙経路が閉ざされるので、記録用紙が逆方向に搬送されてもＳＦ３７側に戻ることはない。
【００１９】
給紙部から搬送された被記録媒体としての記録用紙は、ピンチローラホルダ２３とガイド部材（通紙ガイド）７０により形成される通紙経路で角度を付けて用紙を搬送するようにされ停止状態の紙送りローラ２１とピンチローラ２２で形成されるニップ部に突き当てられる。この時、所定の通紙経路長よりもやや長い距離分をＡＳＦ３７で搬送することにより、給紙ローラ３９と紙送りローラ２１の間で用紙のループが形成される。このループが真っ直ぐに戻ろうとする力で用紙先端が紙送りローラ２１のニップ部に押圧されることにより、用紙先端が紙送りローラ２１に倣って平行になり、いわゆるレジストレーション取り動作が完了する。レジストレーション取り動作が完了した後、記録用紙が正方向（第１排紙ローラ３０に向けて進行していく方向）に移動する方向に、ＬＦモータ（搬送モータ）２６の回転（正方向の回転）を開始する。
【００２０】
その後、給紙ローラ３９は駆動力を切断され、記録用紙と連れ回りするようになる。この時点で、記録用紙は紙送りローラ２１とピンチローラ２２のみで搬送されるようになる。記録用紙は所定改行量毎に正方向に前進し、プラテン２９に設けられたリブに沿って進行する。
【００２１】
用紙先端は漸次第１排紙ローラ３０及び第１拍車列３２のニップ部と、第２排紙ローラ３１及び第１拍車列３３のニップ部に掛かるが、第１排紙ローラ３０と第２排紙ローラ３１の周速は紙送りローラ２１の周速とほぼ等しく設定され、かつ紙送りローラ２１から第１排紙ローラ３０及び第２排紙ローラ３１はギア列で接続されているので、第１排紙ローラ３０及び第２排紙ローラ３１は紙送りローラ２１と同期して回転することになり、そのため、記録用紙４は弛んだり引っ張られたりすることなく搬送される。
【００２２】
記録部は、主に記録手段としての記録ヘッド１１と、記録ヘッド１１を搭載して記録用紙搬送方向と直交する方向に走査するキャリッジ１３とから成る。キャリッジ１３は、シャーシ１０に固定されたガイドシャフト１４とシャーシ１０の一部であるガイドレール１５とによって案内支持され、キャリッジモータ１７とアイドラプーリ２０との間に張架されたキャリッジベルト１６を介してキャリッジモータ１７の駆動力を伝達することにより、走査される。
【００２３】
そして記録ヘッド１１は、フレキシブルフラットケーブル７３を介して印字信号が伝達されることで、記録データに応じてインク滴を吐出し行なわれる。また、シャーシ１０に張架されたコードストリップ１８をキャリッジ１３に搭載された不図示のＣＲ（キャリッジ）エンコーダによって読み取ることで、適切なタイミングで被記録用紙に向けてインク滴を吐出することができる。このようにして、１ライン分の記録が終了すると、前記用紙搬送部により必要量だけ記録用紙を搬送する。この動作を繰り返して実施することにより、記録用紙全面にわたる記録動作が可能となる。
【００２４】
記録ヘッドメインテナンス部（メインテナンスユニット）３６は、記録手段としての記録ヘッド１１の吐出口の目詰まりを防止したり、記録ヘッド１１の吐出口面の紙粉等による汚れを解消したりすることで、記録ヘッド１１の記録動作を正常状態に維持回復するためのものである。また、前記記録ヘッドメインテナンス部３６は、インクタンク１２を交換する際のインク吸引用としての役割も担っている。そのため、キャリッジ１３のホームポジション（待機ポジション）で記録ヘッド１１と対向するように設置されているメインテナンスユニット３６は、例えば、記録ヘッド１１のインク吐出口面に当接して吐出口を保護するキャップを備えたキャッピング機構、吐出口をキャッピングしたキャップ内に負圧を発生させて吐出口からインクを吸引排出させる吸引回復機構、吐出口の周辺部を拭き取り清掃するワイピング機構などで構成されている。
【００２５】
すなわち、記録ヘッド１１の吐出口内のインクをリフレッシュすべくインクを吸い出す際には、キャップを吐出口面に押圧し、吸引ポンプを駆動してキャップ内を負圧とすることでインクを吸引排出する。また、インク吸引後に吐出口面にインクが付着している場合や、吐出口面に紙粉等の異物が付着した場合にそれらを取り除くために、ワイパーを吐出口面に当接させ平行に移動させることにより吐出口面をワイピング（拭き取り清掃）して付着物を除去する。以上が記録装置の概略である。
【００２６】
次に、用紙反転部（自動反転部としての自動両面ユニット）２の構成を説明していく。本実施例に係る記録装置は、シート状の単票紙から成る記録用紙の表裏に、操作者の手を煩わせることなく自動的に記録を行う、いわゆる自動両面記録を可能にしている。
【００２７】
先ず、図２を用いて、被記録媒体（記録用紙）の搬送経路について説明する。図２において、１０６は回転可能に支持され記録用紙が用紙反転部２から出ていく時に開閉する出口フラップ、１０８は用紙反転部としての両面ユニット２内で記録用紙（被記録媒体）を搬送する反転部ローラとしての両面ローラ、１１２、１１３、１１４は両面ローラ１０８に従動する反転部ピンチローラ（両面ピンチローラ）である。
【００２８】
このような構成において記録動作が開始されると、ＡＳＦ３７に積載された複数枚の記録用紙から、給紙ローラ３９の作用により１枚ずつ記録用紙が給紙され、紙送りローラ２１へ送給（搬送）される。紙送りローラ２１とピンチローラ２２に挟持された記録用紙は図２中の矢印ａ方向へ搬送される。両面記録を実施する場合は、表（おもて）面記録終了後、記録用紙はＡＳＦ３７の下方に設けられた水平パス内を図２中の矢印ｂ方向に搬送される。用紙反転部としての両面ユニット２は、ＡＳＦ３７の斜め下方に配置されているので、記録用紙は水平パスから用紙反転部２内へ導かれ、図２中の矢印ｃ方向へ搬送される。
【００２９】
用紙反転部２内では、記録用紙は、両面ローラ１０８と両面ピンチローラ１１２、１１３、１１４に挟持されて進行方向を転換し、図２中の矢印ｄ方向に搬送され、最終的には進行方向を１８０度転換して水平パスに戻る。水平パス内を図２中の矢印ａ方向に搬送された記録用紙は、再び紙送りローラ２１とピンチローラ２２に挟持され、裏面の記録を実施される。以上のように、表面（おもて面）記録終了後の記録用紙は、ＡＳＦ３７の下方にある水平パスと、ＡＳＦ３７の斜め下方にある用紙反転部２とによって表裏反転されて再び裏面を記録されることにより、自動的に表裏に記録を実施される。
【００３０】
ここで、表面（第１の面、おもて面）記録時の記録範囲について説明する。記録手段としての記録ヘッド１１は紙送りローラ２１と第１排紙ローラ３０の間に吐出口領域（記録領域、インク吐出領域）Ｎを有しているが、吐出口へのインク流路配置の都合や、インクを吐出させるアクチュエータ（吐出エネルギー発生手段）への配線の都合などにより、紙送りローラ２１のニップ部の直近に吐出口領域Ｎを配置することは通常困難である。よって、記録用紙が紙送りローラ２１とピンチローラ２２で挟持されている範囲では、紙送りローラ２１のニップ部より下流側に図２中に示す長さＤ１だけ離れた範囲までしか記録を行うことができない。
【００３１】
この表面下端余白領域を少なくするために、本実施例に係る記録装置では、紙送りローラ２１のニップ部から記録用紙が離脱し、第１排紙ローラ３０及び第２排紙ローラ３１だけで挟持され搬送される部分まで記録を続行する。これにより、表面下端余白がゼロになるまでの記録動作が可能になる。しかし、この状態から前述の図２中の矢印ｂ方向に記録用紙を搬送しようとすると、紙送りローラ２１とピンチローラ２２のニップ部へ記録用紙を案内することが出来ない、または困難で、いわゆる用紙ジャムが発生する可能性がある。本実施例では、このような用紙ジャムを回避するために、以下に説明する手段により紙送りローラ２１からピンチローラ２２をリリース（離間）させて所定の隙間を作り、その隙間に記録用紙端部を引き込んでから、再度ピンチローラ２２を紙送りローラ２１に圧接することにより、図２中の矢印ｂ方向への記録用紙の搬送を可能にしている。
【００３２】
図3および図４は、ピンチローラリリース機構及びピンチローラばね圧力調整機構の動作を模式的に示す部分側面図である。図４の（ａ）は、ピンチローラホルダ押圧カム５９が初期位置にあり、ピンチローラ２２が紙送りローラ２１に圧接する状態であり、ピンチローラばね２４の圧力が標準状態にある場合を示す。ピンチローラホルダ２３は、そのピンチローラホルダ軸２３ａでシャーシ１０の軸受部により回転自在に支持されており、所定角度範囲にわたって揺動可能に構成されている。ピンチローラホルダ２３の一端にはピンチローラ２２が回転可能に支持されており、他端にはピンチローラホルダ押圧カム５９と当接する領域が設けられている。
【００３３】
図４の（ａ）において、ピンチローラばね２４は、一端をピンチローラホルダ２３のピンチローラ２２側に力点として当接させられ、他端をピンチローラばね押圧カム６０で支持され、ばね中間部をシャーシ１０の支持部により支持された捩じりコイルばねである。このような支持形態により、所定圧力でピンチローラ２２が紙送りローラ２１に圧接されている。この状態で紙送りローラ２１の回転駆動機構を動作させれば、紙送りローラ２１とピンチローラ２２のニップ部に挟持された記録用紙を搬送することができる。
【００３４】
図４の（ｂ）は、ピンチローラ２２がリリース（離間）した状態にあり、かつピンチローラばね２４が抜重状態である場合を示す。すなわち、リフトカム軸５８が図４中の矢印ａ方向に回転することにより、ピンチローラホルダ押圧カム５９がピンチローラホルダ２３に当接し、ピンチローラホルダ２３が徐々に図４中の矢印ｂ方向に回動され、ピンチローラ２２は紙送りローラ２１からリリースされている。また、図４の（ｂ）の状態では、ピンチローラばね押圧カム６０はピンチローラばね２４との当接面が小半径部となり、ピンチローラばね２４の捩じり角度θ２は図４の（ａ）の時の角度θ１より大きくなっているために、ばね加重が低減し、ピンチローラホルダ２３には殆ど加重がかかっていない状態になっている。これにより、ピンチローラホルダ２３には殆ど応力がかからない状態となる。この状態では、紙送りローラ２１とピンチローラ２２の間には所定量の隙間Ｈが形成されており、記録用紙の先端を容易にニップ部に挿入することが可能である。
【００３５】
図４の（ｃ）には、ピンチローラ２２は図４の（ａ）と同様に紙送りローラ２１に圧接されているが、圧接力が弱い軽圧接状態である場合が示されている。図４の（ｃ）の状態では、リフトカム軸５８が更に図４中の矢印ａ方向に回転することにより、ピンチローラホルダ押圧カム５９とピンチローラホルダ２３の当接は解除され、ピンチローラホルダ２３は図４中の矢印ｃ方向に回転して元の状態に戻り、ピンチローラばね押圧カム６０はピンチローラばね２４との当接面が図４の（ａ）の場合と図４の（ｂ）の場合の中間の半径になっている。
【００３６】
これにより、ピンチローラばね２４の捩じり角度θ３は図４の（ａ）の角度θ１より若干小さい状態であるので、紙送りローラ２１にピンチローラ２２を圧接させる力は若干小さくなっている。このような構成によれば、搬送用トレイに搭載したＣＤ−ＲやＤＶＤやカード等の厚みが厚く曲げ剛性の高い被記録媒体が、紙送りローラ２１とピンチローラ２２の間に挟持された場合に、ピンチローラばね２４の捩じり角度が通常より多くなり、それによって、ピンチローラホルダ２３に対する発生荷重が大きくなることを防止することができる。よって、通常の厚さの記録用紙でも、搬送トレイの場合でも、紙送りローラ２１の軸損による回転負荷を平準化することができる。
【００３７】
以上の状態を経て、リフトカム軸５８を１回転させると、ピンチローラリリース機構及びピンチローラばね圧力調整機構は、図４の（ａ）の状態に戻り、標準状態となる。
【００３８】
また本実施例の構成では、この他に通紙ガイド７０の上下機構と、キャリッジ１３の上下機構も備えている。
【００３９】
通常、通紙ガイド７０は、ＡＳＦ３７から給紙される記録用紙を紙送りローラ２１に案内するため、前述のごとく水平から若干角度の付いたＬＦローラ２１のニップ部に円滑に記録用紙を導くように、水平パスより若干角度が上がった場所に位置している（図２に示す状態）。しかしながら、このままだと、図２中の矢印ｂ方向に記録用紙を搬送した場合、記録用紙は再びＡＳＦ３７に向かって案内されてしまうので、これを防止して円滑に水平パスに案内できるように、通紙ガイド７０を水平になるように角度を変えた方が好適な構成となる。そのために、ガイド部材としての通紙ガイド７０を上下する上下機構が設けられている
図５は、通紙ガイド上下機構の動作を模式的に示す部分側面図である。図５の（ａ）は、ガイド部材としての通紙ガイド７０がアップ状態である場合を示す。図５の（ａ）において、通紙ガイド７０は通常通紙ガイドばね７１により持ち上げられる方向に付勢されており、不図示のストッパに突き当たって位置（上昇位置、アップ位置）を決められている。この弾性部材としての通紙ガイドばね７１の作用により、メインＡＳＦから給紙された記録用紙が通過する場合は、通紙ガイド７０はこの姿勢（アップ状態）を保っている。ただし、通常より大きな力がかかった場合には、通紙ガイド７０は通紙ガイドばね７１のばね力に抗して下がる（ダウン状態になる）ことができるように構成されている。
【００４０】
図５の（ｂ）は、通紙ガイド７０がダウン状態である場合を示す。図５の（ｂ）において、リフトカム軸５８に固定された通紙ガイド押圧カム６５が図５中の矢印ａ方向に回転することにより、通紙ガイド押圧カム６５が通紙ガイド７０の一部である通紙ガイドカムフォロワ部７０ａに当接して徐々に押圧していく。これによって、通紙ガイド７０は、図６中の矢印ｂ方向に回転させられ、通紙ガイドばね７１のばね力に抗して押し下げられる。この状態では、通紙ガイド７０の通紙パスに面する部分は略水平になり、通紙パスはほぼ完全にストレートになる。これにより、図２中で、用紙が紙送りローラ２１より矢印ｂ方向へ搬送される際も、記録用紙は水平に搬送され、記録用紙表面（おもて面、第１の面）の既に記録が行われた部分が通紙パス上方に押し付けられることが無くなる。
【００４１】
次にキャリッジ１３の上下機構は、ピンチローラホルダ２３がリリース状態（紙送りローラ２１から離間した状態）になると、ピンチローラホルダ２３の先端がキャリッジ１３に近づくので、両者が当接してキャリッジ１３が主走査方向に移動できなくなることを防止するためのものである。このため、ピンチローラホルダ２３のリリース動作に同期してキャリッジ１３を上昇させるための上下機構が設けられている。また、このキャリッジ１３の上下機構は、他の用途にも適用でき、例えば、専用の搬送トレイに搭載されたＣＤ−ＲやＤＶＤ、カードなどの厚みの厚い被記録媒体に記録する際に記録手段としての記録ヘッド１１が被記録媒体と接触しないようにするために、記録ヘッド１１を退避する目的で移動させる際にも利用することができる。
【００４２】
図６は、キャリッジ上下機構を示す模式的斜視図である。図６において、１４ａはガイドシャフト１４に取り付けられた右ガイドシャフトカム、１４ｂはガイドシャフト１４に取り付けられた左ガイドシャフトカム、５３はリフトカムギア５２と右ガイドシャフトカム１４ａのギア部とをつなぐカムアイドラギアである。ガイドシャフト１４は、図１に示すように、シャーシ１０の両側面に支持されており、不図示の上下方向のガイド長穴とガイドシャフト１４とが嵌合し、図６中の矢印Ｚ方向には自由に動けるが、図６中の矢印Ｘ方向及びＹ方向の移動は規制されている。
【００４３】
図６に示す機構においては、通常ではガイドシャフト１４はガイドシャフトばね７４によって下方向（矢印Ｚと反対方向）に付勢されているが、カムアイドラギア５３が回転すると、右ガイドシャフトカム１４ａ及び左ガイドシャフトカム１４ｂがガイド斜面５６と当接することにより、ガイドシャフト１４は回転しながら上下方向に移動するように構成されている。
【００４４】
図７は、キャリッジ上下機構の動作を模式的に示す部分側面図である。図７の（ａ）は、キャリッジ１３が標準位置である第１キャリッジポジションにある場合を示す。この状態では、ガイドシャフト１４はシャーシ１０のガイド長孔５７の下限に突き当てられて位置決めされており、ガイドシャフトカム１４ａとガイド斜面５６は接触していない。
【００４５】
図７の（ｂ）は、キャリッジ１３が少し高い第２キャリッジポジションに移動した状態を示す。第１キャリッジポジションからは、リフトカム軸５８の回転により、リフトカム軸５８に固定されたリフトカムギア５２が回転し、リフトカムギア５２と契合したカムアイドラギア５３を介してガイドシャフトカムＲギア１４ｃが回転する。この時、リフトカムギア５２とガイドシャフトカムＲギア１４ｃを同じ歯数にしておくと、リフトカム軸５８とガイドシャフト１４は同じ方向にほぼ同じ角度回転することになる。全く同じ角度で回転しないのは、リフトカムギア５２とカムアイドラギア５３は回転軸が固定されているのに対し、ガイドシャフトカムＲギア１４ｃは回転軸たるガイドシャフト１４自身が上下動を伴うことで、ギア間距離が変動するためである。
【００４６】
以上により、リフトカム軸５８が図７中の矢印ａ方向に回転すると、ガイドシャフト１４も図７中の矢印ｂ方向に回転する。この回転により、ガイドシャフトカムＲ１４ａ及びガイドシャフトカムＬ１４ｂが、それぞれ固定されているガイド斜面５６に当接し、ガイドシャフト１４の移動方向が前述のごとくシャーシ１０のガイド長孔５７により上下方向のみに規制されているため、ガイドシャフト１４は第２キャリッジポジションに移動することになる。この第２キャリッジポジションは、記録用紙の変形が大きく、第１キャリッジポジションで記録用紙と記録ヘッド１１が当接してしまうような場合に設定すると好適である。
【００４７】
図７の（ｃ）は、キャリッジ１３が最も高い第３キャリッジポジションにある場合を示す。第２キャリッジポジションより更にリフトカム軸５８が回転することにより、ガイドシャフトカムＲ１４ａ及びガイドシャフトカムＬ１４ｂのカム面の半径が大きくなり、ガイドシャフト１４は更に高い位置へ移動する。この第３キャリッジポジションは、通常よりも厚みのある被記録媒体（記録用紙）を使用する場合などに好適である。
【００４８】
次に、搬送用トレイに搭載したＣＤ−ＲやＤＶＤやカード等の厚みが厚く曲げ剛性の高い被記録媒体の給紙方法および記録方法について詳細に説明する。
【００４９】
図８は専用の搬送トレイのための専用トレイガイドを記録装置に取り付けた状態を示す、模式的側断面図である。ＡＳＦ３７からは、通紙パスが湾曲しているためにトレイの供給は不可能なため、専用のトレイガイド２００を記録装置の排紙口側に取り付けている。トレイガイド２００を本体に装着する動作に連動して、厚紙給紙ガイド２００側からの通紙の妨げにならないように、第１拍車列３２および第２拍車列３３を待避させる機構が記録装置本体側に備わっている。これにより、厚紙給紙ガイド２００側から紙送りローラ２１の直前まで厚紙を容易に挿入することが可能となる。
【００５０】
しかしながら、ＣＤ−ＲやＤＶＤやカード等の厚みが厚く曲げ剛性の高い被記録媒体を搭載する搬送トレイの厚みは、これら記録媒体よりも厚く構成されているので、ピンチローラのニップ部に押し込もうとしても、先端がピンチローラ２２に当接するばかりで押し込むことが出来ない。また、押し込むことが可能なように搬送トレイ先端にテーパを設けたとしても、押し込むのに多少なりの力が必要になり、操作性が良くない。また、ピンチローラ２２を使用者が手動でリリースし、給紙後に再度圧接して貰うように構成することも可能であるが、作業性は良くない。
【００５１】
そこで本実施例の記録装置では、前述したピンチローラ２２のリリース機構を使用して容易に搬送トレイ２０１を挿入することが出来るようにしている。即ち、既に図４を用いて説明した如く、リフトカム軸５８の回動作用により、ピンチローラ２２は通常搬送時の図４（ａ）初期状態から、図４（ｂ）のリリース状態とすることが可能である。よって、不図示の検知手段により専用トレイガイド２００が記録装置本体に装着されていることが検知されていて、かつ給紙動作開始の指示があった場合には、ピンチローラ２２を初期状態からリリース状態とし、紙送りローラ２１および第１排紙ローラ３０、第２排紙ローラ３１を排紙時とは逆方向に回転させることで、搬送トレイ２０１を自動的に給紙することが可能である。
【００５２】
搬送トレイ２０１の先端が、紙送りローラ２１のニップ部を通過したら、ピンチローラ２２をリリース状態から図４（ｃ）の軽圧状態とする。この状態で搬送トレイ２０１が圧接されると、前述の如く、普通紙をピンチローラ初期状態で圧接している時とほぼ同じ圧接力となり、ＬＦモータ２６の駆動負荷は殆ど変化しない。よって、このまま紙送りローラ２１を逆転させていくことで、搬送トレイ２０１を記録装置の用紙反転部（自動両面ユニット）２側へと導くことが可能となる。この時、図7で説明したようにキャリッジ１３は第３キャリッジポジションにあり、また、通紙ガイド７０は図5に示すダウン状態となっている。これにより、搬送トレイ２０１が入っている場合でも、記録部１１と搬送トレイ２０１の隙間が狭くなり過ぎたりせずに、適正な距離が保たれる。また、通紙ガイド７０がダウン状態となることにより、通紙経路がストレートになり、通紙搬送の負荷が増えることがない。以上により、ＣＤ−ＲやＤＶＤやカード等の厚みが厚く曲げ剛性の高い被記録媒体を搭載した搬送トレイ２０１は図２矢印ａ方向および矢印ｂ方向にスムーズに移動可能で、適正な記録動作を実施することが可能である。
【００５３】
図９に、搬送用トレイ２０１に搭載された被記録媒体（ここではＣＤ−Ｒとして説明する）の搬送中の模式的側断面図を示す。搬送用トレイ２０１は紙送りローラ２１とピンチローラ２２によって、ＣＤ−Ｒの印字領域先端部２０２ａが記録ヘッド１１の吐出口領域（記録領域、インク吐出領域）Ｎの上流位置に到達するまで、用紙反転部２側へと搬送され、図９に示す記録開始の待機状態となる。
【００５４】
ここで図９、図１０を用いてＣＤ−Ｒと搬送トレイ、両面ローラの位置関係について説明する。図１０は、図９の斜視図を表し、前記部品の位置関係が判りやすいように簡略化したものである。
【００５５】
自動両面ローラ１０８は装置幅方向に伸びた軸１０８ａに対してローラ１０８ｂが複数一体的に構成されたものであり、ローラ１０８ｂの表面は、２色成型によってエラストマーが付けられている。そして、搬送トレイ２０１は、ローラ１０８ｂを避けるように上流端部２０１ａに切り欠き２０１ｂが設けられており、ＣＤ−Ｒ２０２の印字領域先端部２０２ａが記録ヘッド１１の吐出口領域（記録領域）Ｎの上流位置に到達した際に、切り欠きの底辺２０２ｃがローラ部１０８ｂと干渉しない位置に構成されている。また搬送トレイ２０１の上流側端部２０１ａは、両面ローラ１０８の軸部１０８ａと干渉しないような位置関係となっている。
【００５６】
そして、記録動作が開始されると、紙送りローラ２１を正転させながら記録動作が実施され、通常の記録動作と同様にＣＤ−Ｒ２０２上に記録が施される。
【００５７】
次に図１１を用いて、本発明の特徴である搬送トレイの切り欠きとピンチローラの位置関係について説明する。図１１はＣＤ−Ｒ２０２の記録途中で、切り欠きの底辺２０1ｃがピンチローラ２２を通過した後の状態を示す断面図、そして図１２が斜視図を表す。図１２に示すように搬送トレイ２０１の搬送領域に掛かるピンチローラ２２は全て、少なくとも幅方向においてその一部が搬送トレイ２０１の切り欠かれていない領域を付勢するように配置されている。従って、搬送トレイ２０１の切り欠き底辺２０１ｃがピンチローラ２２を通過する際もスムーズに搬送される。また、ピンチロー２２ａのように幅方向の一端が切り欠き２０１ｂにかかる場合も、切り欠きの底辺２０１ｃに、ピンチローラ２２に対抗する面から搬送トレイ２０１が薄くなる方向にテーパが施されているため、スムーズに通過するよう工夫されている。
【００５８】
ここでＣＤ−Ｒ２０２の搬送方向下端位置２０２ｂと記録ヘッド１１の吐出領域下流までの距離をＹとし、ピンチローラ２２から搬送トレイ２０１の上流側端部２０１ａまでの距離をＸとした時、Ｘ＞Ｙの関係になっているため、ＣＤ−Ｒ２０２への記録が終了するまで、紙送りローラ２１とピンチローラ２２で確実に搬送される構成となっている。
【００５９】
記録動作が終了したら、そのまま排紙ローラを正方向に回転し、搬送トレイ２０１を専用トレイガイド２００上に排出することで、全ての記録動作が完了する。この後、ピンチローラ２２を初期状態に戻しておくことで、記録装置本体も初期状態に戻ることができる。すなわち、キャリッジ１３が第１キャリッジポジションに戻り、通紙ガイド７０がアップ状態となる。複数枚の厚紙記録用紙２０１に連続して記録を行う時には、記録済みの搬送トレイ２０１を専用トレイガイド２００から取り外して、新たな厚紙記録用紙２０１をセットすることで、前回と同様に記録を行うことが出来る。
【００６０】
なお、搬送トレイ２０１の切り欠き底辺を図１３に示すように搬送方向に対して傾けた上で前述したテーパを施しても良い。この場合、ピンチローラ２２ａのように幅方向の一端が切り欠きにかかる場合も、徐々に切り欠きの底辺部がピンチローラ２２ａを通過していくため、より一層スムーズに搬送される構成となる。
【図面の簡単な説明】
【００６１】
【図１】本発明の一実施形態に係るインクジェット記録装置の全体構成を示す模式的斜視図である。
【図２】本発明の一実施形態に係るインクジェット記録装置の全体構成を示す模式的側断面図である。
【図３】本発明の一実施形態に係るインクジェット記録装置のピンチローラ圧接離間機構を示す模式的斜視図である。
【図４】本発明の一実施形態に係るインクジェット記録装置のピンチローラ圧接離間機構を示す模式的側断面図である。
【図５】本発明の一実施形態に係るインクジェット記録装置の通紙ガイド上下機構を示す模式的側断面図である。
【図６】本発明の一実施形態に係るインクジェット記録装置のガイドシャフト上下機構を示す模式的斜視図である。
【図７】本発明の一実施形態に係るインクジェット記録装置のガイドシャフト上下機構を示す模式的側断面図である。
【図８】本発明の一実施形態に係るインクジェット記録装置のＣＤ−Ｒ搬送用トレイの通紙形態を示す模式的側断面図である。
【図９】本発明の一実施形態に係るインクジェット記録装置のＣＤ−Ｒ搬送用トレイの通紙形態を示す模式的側断面図である。
【図１０】本発明の一実施形態に係るインクジェット記録装置のＣＤ−Ｒ搬送用トレイの通紙形態を示す模式的斜視図である。
【図１１】本発明の一実施形態に係るインクジェット記録装置のＣＤ−Ｒ搬送用トレイの通紙形態を示す模式的側断面図である。
【図１２】本発明の一実施形態に係るインクジェット記録装置のＣＤ−Ｒ搬送用トレイの通紙形態を示す模式的斜視図である。
【図１３】本発明の一実施形態に係るインクジェット記録装置のＣＤ−Ｒ搬送用トレイの通紙形態を示す模式的斜視図である。
【符号の説明】
【００６２】
１  インクジェット記録装置
２  用紙反転部
１０  シャーシ
１１  記録部（記録手段、記録ヘッド）
１２  インクタンク
１３  キャリッジ
１４  ガイドシャフト
１５  ガイドレール
１６  キャリッジベルト
１７  キャリッジモータ
２１  紙送りローラ
２２  ピンチローラ
２３  ピンチローラホルダ
２４  ピンチローラばね
２６  ＬＦモータ
２９  プラテン
３０  第１排紙ローラ
３１  第２排紙ローラ
３２  第１拍車列（回転体）
３３  第２拍車列（回転体）
３６  メインテナンスユニット（吐出回復装置）
３７  ＡＳＦ（自動給紙部）
３９  給紙ローラ
４０  分離ローラ
４１  圧板
４４  ＡＳＦフラップ
４６  ＡＳＦモータ
５５  ガイドシャフトばね
５６  ガイド斜面
５７  ガイド長孔
５８  リフトカム軸
５９  ピンチローラホルダ押圧カム
６０  ピンチローラばね押圧カム
６１  ＰＥセンサレバー押圧カム
６５  通紙ガイド押圧カム
７０  通紙ガイド（ガイド部材）
７１  通紙ガイドばね
７４  ガイドシャフトばね
１０６  出口フラップ
１０８  反転部ローラ
１１２  両面ピンチローラ
１１３  両面ピンチローラ
１１４  両面ピンチローラ
２００  厚紙給紙ガイド
２０１  搬送トレイ
２０２  ＣＤ−Ｒ
【図１】
2007119188.tif 000003
【図２】
2007119188.tif 000004
【図３】
2007119188.tif 000005
【図４】
2007119188.tif 000006
【図５】
2007119188.tif 000007
【図６】
2007119188.tif 000008
【図７】
2007119188.tif 000009
【図８】
2007119188.tif 000010
【図９】
2007119188.tif 000011
【図１０】
2007119188.tif 000012
【図１１】
2007119188.tif 000013
【図１２】
2007119188.tif 000014
【図１３】
2007119188.tif 000015